【手続補正書】
【提出日】平成25年10月9日(2013.10.9)
【手続補正１】
【補正対象書類名】明細書
【補正対象項目名】発明の名称
【補正方法】変更
【補正の内容】
【発明の名称】膨張可能な融合装置
【手続補正２】
【補正対象書類名】特許請求の範囲
【補正対象項目名】全文
【補正方法】変更
【補正の内容】
【特許請求の範囲】
【請求項１】
椎間移植部材であって、
第１の端部、第２の端部、前記第１の端部と前記第２の端部とを接続する第１の側部、並びに第１の端部と第２の端部とを接続する第２の側部とを含む本体部分であり、第１の端部、第２の端部、第１の側部並びに第２の側部が中央開口を画定している本体部分と、
上側部、下側部、並びにエンドプレート前記下側部から前記中央開口に延びる伸長部を有する第１のエンドプレートと、
上部側、下部側、並びにエンドプレート前記下側部から前記中央開口に延びる伸長部を有する第２エンドプレートと、
少なくとも１つの膨張部を有する並進部材であり、前記並進部材の少なくとも一部分が前記中央開口内に受容される並進部材と、
第１の端部、第２の端部、並びに前記膨張部によって受容される中央部を有する複数個のピンとを含む、椎間移植部材であり、
前記第１のエンドプレート及び前記第２のエンドプレートの前記伸長部が、前記ピンの前記第１の端部又は前記第２の端部を受容するための少なくとも１つのスロットを含み、
前記並進部材の第１の方向の移動が、前記第１のエンドプレート及び前記第２のエンドプレートを前記本体部分から離れる方向で移動させて、並びに前記並進部材の第２の方向の移動が、前記第１のエンドプレート及び前記第２のエンドプレートを前記本体部分に向かう方向で移動させる、椎間移植部材。
【請求項２】
前記第２の方向における前記並進部材の前記移動が、前記ピンを前記スロットに沿って移動させて、前記第１のエンドプレート及び前記第２のエンドプレートを前記本体部分に向かって移動させる、請求項１に記載の椎間移植部材。
【請求項３】
前記膨張部が第１の傾斜面及び第２の傾斜面を含み、前記第１のエンドプレート及び第２のエンドプレートの前記下部面が傾斜面を含み、前記並進部材が前記第１の方向に移動されるに伴って、前記膨張部の前記第１の傾斜面が、前記第１のエンドプレートの前記傾斜面に当接し、前記第２の傾斜面が、前記第２のエンドプレートの前記傾斜面に当接して、前記第１のエンドプレート及び前記第２のエンドプレートが、前記本体部分から離れる方向に移動させる、請求項１に記載の椎間移植部材。
【請求項４】
前記並進部材に接続された作動部材を更に含み、前記作動部材が、前記並進部材の少なくとも一部分に沿って配置されたねじ切りを有し、前記本体部分の前記第２の端部が、前記作動部材をねじ込み式で受容するためのねじ切りされた開口を含む、請求項１に記載の椎間移植部材。
【請求項５】
前記作動部材の前記回転運動が、前記並進部材の一般的に直線状の移動を生じさせる、請求項４に記載の椎間移植部材。
【請求項６】
前記作動部材がロック機構を含む、請求項４に記載の椎間移植部材。
【請求項７】
前記上部エンドプレートが、前記上部面から前記下部面を通って延びている少なくとも１つの開口を有し、前記開口が前記中央開口と液体連結されている、請求項１に記載の椎間移植部材。
【請求項８】
前記下部エンドプレートが、前記上部面から前記下部面を通って延びている少なくとも１つの開口を有し、前記開口が前記中央開口と液体連結されている、請求項１に記載の椎間移植部材。
【請求項９】
前記上部エンドプレートの前記上部面が、以下の、歯、リッジ、摩擦増大因子、キール、グリップ用又はパーチェース用突起のテクスチャリングのいずれかを含む、請求項１に記載の椎間移植部材。
【請求項１０】
前記下部エンドプレートの前記上部面が、以下の、歯、リッジ、摩擦増大因子、キール、グリップ用又はパーチェース用突起のテクスチャリングのいずれかを含む、請求項１に記載の椎間移植部材。
【請求項１１】
前記並進部材が、少なくとも２つの膨張部を有する、請求項１に記載の椎間移植部材。
【請求項１２】
それぞれの膨張部が、２つの傾斜面を有し、前記上部エンドプレート及び前記下部エンドプレートが、前記下部側から延びている少なくとも２つの傾斜面を含む、請求項１１に記載の装置。
【請求項１３】
前記第１のエンドプレート及び前記第２のエンドプレートの前記伸長部が、それぞれ少なくとも２つのスロットを含む、請求項１に記載の椎間移植部材。
【請求項１４】
前記スロットが、一般的に傾斜した様式で延びる、請求項１に記載の椎間移植部材。
【請求項１５】
前記第１の側部及び前記第２の側部が、挿入器具を受容するために構成されかつ寸法を決定された凹状部を含む、請求項１に記載の椎間移植部材。
【請求項１６】
前記第１の端部が、少なくとも１つの角度をつけられた表面を含む、請求項１に記載の椎間移植部材。
【請求項１７】
前記移植部材が、第１の人工エンドプレート及び第２の人工エンドプレートを含み、前記人工エンドプレートが、それぞれ上部面及び下部面を有し、前記人工エンドプレートの前記上部面が、前記隣接する脊椎体に係合するための少なくとも１つのスパイクを有し、並びに前記人工エンドプレートの前記下部面が、前記上部エンドプレート及び前記下部エンドプレート上のテクスチャリング又は係合形状部に係合するための相補的テクスチャリング又は係合形状部を有し、脊椎前弯を達成するために、前記人工エンドプレートの前記上部面が一般的に凸状の形状を有し、並びに前記下部面が一般的に平行な形状を有する、請求項１に記載の椎間移植部材。
【請求項１８】
膨張及び非膨張配置を有する椎間移植部材であって、
少なくとも１つの角度がつけられた面を有する第１端部、ねじ切りされた開口を有する第２の端部、前記第１の端部と前記第２の端部とを接続する第１の側部、並びに前記第１の端部と第２の端部とを接続する第２の側部を有する本体部分であり、前記第１の端部、第２の端部、第１の側部本体部分並びに第２の側部が中央開口を画定している本体部分と、
上側部、下側部、並びに少なくとも２つの傾斜的に配向されたスロットを有する第１のエンドプレートであり、前記伸長部が前記下側部から前記中央開口に延びるような第１のエンドプレートと、
上側部、下側部、並びに少なくとも２つの傾斜的に配向されたスロットを有する第２のエンドプレートであり、前記伸長部が前記下側部から前記中央開口に延びるような第２のエンドプレートと、
少なくとも２つの伸長部を有する並進部材であり、前記並進部材の少なくとも一部分が、前記中央開口内に受容される並進部材と、
複数個のピンであり、前記ピンが第１の端部、第２の端部、並びに中央部分を有し、前記中央部分が前記膨張部によって受容され、前記第１の端部及び前記第２の端部が、前記スロットによって受容される複数個のピンと、
前記並進部材に接続された作動部材であり、前記作動部材が、前記並進部材の少なくとも一部分に沿って配置されたねじ切りを有し、前記ねじ切りされた開口が前記作動部材をねじ込み式に受容するような作動部材とを含む移植部材であり、
前記並進部材の第１の方向の移動が、前記第１のエンドプレートと前記第２のエンドプレートを、前記本体部分から離れた方向に移動させて、並びに前記並進部材の第２の方向における前記移動が、前記第１のエンドプレートと前記第２のエンドプレートを、前記本体部分に向かう方向に移動させて、
前記膨張部が、第１の傾斜面及び第２の傾斜面をそれぞれ含み、並びに前記第１のエンドプレート及び前記第２のエンドプレートの前記下部面が、それぞれ傾斜面を含み、前記並進部材が前記第１の方向に移動されるのと同時に、前記膨張部の前記第１の傾斜面が、前記第１のエンドプレートの前記傾斜面に当接し、並びに前記第２の傾斜面が前記第１のエンドプレートの前記傾斜面に当接して、これが前記第１のエンドプレートと前記第２のエンドプレートを前記本体部分から離れた方向に移動させて、
並びに前記並進部材の前記第２の方向における前記移動が、前記ピンを前記スロットに沿って移動させて、このことが前記第１のエンドプレートと前記第２のエンドプレートを、前記本体部分に向かう方向の移動を生じさせる、椎間移植部材。